(57)【要約】【課題】  受信可能なチャンネルのチャンネル番号や放送局名を調べること、他のチャンネルに移行した後、元のチャンネルに戻ることが容易なテレビ受像機用の選局装置を提供する。【解決手段】  リモコン受信部２２が受信した信号に基づいてリモコン送信器のアップ／ダウン選局キー１２が押下されたことを検出する度に、メモリ３４から現在受信中の放送チャンネルと異なる放送チャンネルのチャンネル情報を読み出して画面に表示し、リモコン送信器の決定キー１３が押下されたことを検出したときに現在受信中の放送チャンネルから画面に表示されているチャンネル情報で識別される放送チャンネルに切り替える。アップ／ダウン選局キー１２が押下された後、所定時間キー操作がなければチャンネル情報を画面から消す。【選択図】        図３    
2005303863.tif 000002
【特許請求の範囲】
【請求項１】
アップ／ダウン選局キーと決定キーとを含むリモコン送信器と、テレビ受像機に備えられ、前記リモコン送信器からの信号に応答して前記テレビ受像機が受信する放送チャンネルを切り替える制御を行う制御装置とから構成される選局装置において、
前記制御装置は、
前記リモコン送信器から送信される信号を受信するリモコン受信部と、
放送チャンネルを識別するためのチャンネル情報を、受信可能な放送チャンネルのそれぞれについて予め記憶するメモリと、
前記リモコン受信部が受信した信号に基づいて前記アップ／ダウン選局キーが押下されたことを検出する度に、前記記憶手段から現在受信中の放送チャンネルと異なる放送チャンネルのチャンネル情報を読み出して前記テレビ受像機の画面に表示し、前記決定キーが押下されたことを検出したときに、現在受信中の放送チャンネルから前記画面に表示されているチャンネル情報で識別される放送チャンネルに切り替える制御を行う選局制御手段と
を含むことを特徴とする選局装置。
【請求項２】
前記選局制御手段は、前記アップ／ダウン選局キーの押下の検出後、所定の時間内に前記アップ／ダウン選局キーの押下及び前記決定キーの押下のいずれも検出しない場合には、前記画面に表示されているチャンネル情報を前記画面から消すことを特徴とする請求項１に記載の選局装置。
【請求項３】
前記選局制御手段は、チャンネル情報が前記画面に表示されていないときに前記決定キーの押下を検出した場合、現在受信中の放送チャンネルのチャンネル情報を前記画面に所定時間表示することを特徴とする請求項１または２に記載の選局装置。
【請求項４】
前記リモコン送信器はさらに電源オン／オフキーを含み、前記選局制御手段は前記電源オン／オフキーが押下され、テレビ受像機の電源がオンになったことを検出した場合、前回電源をオフにしたときに受信していた放送チャンネルを受信し、該受信した放送チャンネルの放送画像と共に該受信した放送チャンネルのチャンネル情報を前記画面に所定時間表示することを特徴とする請求項１から３のいずれか一項に記載の選局装置。
【請求項５】
前記リモコン送信器はさらにメニューキーを含み、前記選局制御手段は、チャンネル情報が前記画面に表示されていないときに前記メニューキーの押下を検出した場合には、前記アップ／ダウン選局キーの押下により選択可能な画質または音質に関する複数の設定項目を含むメニューリストを前記画面に表示し、前記メニューリストが表示されている間に前記決定キーの押下を検出したときに、選択された設定項目の設定値を調整するための画像を前記画面に表示し、前記設定値を調整するための画像が表示されている間に前記アップ／ダウン選局キーの押下を検出した場合には前記選択された設定項目の設定値を変更するとともに、該設定値の変更に連動して現在受信中の放送チャンネルの画質または音質を変化させることを特徴とする請求項１から４のいずれか一項に記載の選局装置。
【請求項６】
チャンネル情報は、放送チャンネルのチャンネル番号と放送局名とを含むことを特徴とする請求項１から５のいずれか一項に記載の選局装置。
【請求項７】
アップ／ダウン選局キーと決定キーとを含むリモコン送信器と、テレビ受像機に備えられ、前記リモコン送信器から送信される信号を受信するリモコン受信部及び放送チャンネルを識別するためのチャンネル情報を受信可能な放送チャンネルのそれぞれについて予め記憶するメモリを含み、前記リモコン送信器からの信号に応答して前記テレビ受像機が受信する放送チャンネルを切り替える制御を行う制御装置とから構成される選局装置を備えるテレビ受像機における選局方法において、
前記リモコン受信部が受信した信号に基づき、前記アップ／ダウン選局キーが押下されたことを検出する度に、前記記憶手段から現在受信中の放送チャンネルと異なる放送チャンネルのチャンネル情報を読み出して前記テレビ受像機の画面に表示するステップと、
前記決定キーの押下を検出したときに、現在受信中の放送チャンネルを前記画面に表示されているチャンネル情報で識別される放送チャンネルに切り替える制御を行うステップと
を含むことを特徴とする選局方法。
【請求項８】
前記アップ／ダウン選局キーの押下の検出後、所定の時間内に前記アップ／ダウン選局キーの押下及び前記決定キーの押下のいずれも検出しない場合、前記画面に表示されているチャンネル情報を前記画面から消すステップを含むことを特徴とする請求項７に記載の選局方法。
【請求項９】
チャンネル情報が前記画面に表示されていないときに前記決定キーの押下を検出した場合、現在受信中の放送チャンネルのチャンネル情報を前記画面に所定の時間表示するステップを含むことを特徴とする請求項７または８に記載の選局方法。
【請求項１０】
前記リモコン送信器はさらに電源オン／オフキーを含み、電源オン／オフキーが押下され前記テレビ受像機の電源がオンになったことを検出したときに、前回電源をオフにしたときに受信していた放送チャンネルを受信し、該受信した放送チャンネルの放送画像と共に該受信した放送チャンネルのチャンネル情報を前記画面に所定時間表示するステップを含むことを特徴とする請求項７から９のいずれか一項に記載の選局方法。
【請求項１１】
前記リモコン送信器はさらにメニューキーを含み、チャンネル情報が前記画面に表示されていないときに前記メニューキーの押下を検出した場合には、前記アップ／ダウン選局キーの押下により選択可能な画質または音質に関する複数の設定項目を含むメニューリストを前記画面に表示し、前記メニューリストが表示されている間に前記決定キーの押下を検出したときに、選択された設定項目の設定値を調整するための画像を前記画面に表示し、前記設定値を調整するための画像が表示されている間に前記アップ／ダウン選局キーの押下を検出した場合には前記選択された設定項目の設定値を変更するとともに、該設定値の変更に連動して現在受信中の放送チャンネルの画質または音質を変化させるステップを含むことを特徴とする請求項７から１０のいずれか一項に記載の選局方法。
【請求項１２】
チャンネル情報は、放送チャンネルのチャンネル番号と放送局名とを含むことを特徴とする請求項７から１１のいずれか一項に記載の選局方法。
【発明の詳細な説明】
【技術分野】
【０００１】
本発明は、テレビ受像機用の選局装置及び選局方法に関する。
【背景技術】
【０００２】
テレビの受信チャンネルを遠隔から切り替えるリモートコントローラ（以下、リモコンという）には、一般にダイレクト選局キー(例えば１キーから１２キー)とアップ／ダウン選局キー（アップキー及びダウンキー）が備えられている。
ダイレクト選択キーには、テレビ放送チャンネル（以下、放送チャンネルあるいはチャンネルともいう）が割り当てられており、例えば２キーを押すことにより放送チャンネル番号が２であるＮＨＫ総合放送を直接選局することができる。一方、アップ／ダウン選局キーを押せば受信チャンネルをアップ方向またはダウン方向に循環的に切り替えることができる。また、ユーザが現在どの放送チャンネルを視聴しているかを確認できるようにするため、画面に視聴中の放送チャンネル番号を表示するチャンネル表示キーを備えるものもある。
【０００３】
操作キーが電源オン／オフボタンと操作ボタンの２つだけのリモコンも知られている。このリモコンでは、例えば操作ボタンを押すと、「ボリューム」、「チャンネル」及び「戻り」の項目を含む操作選択画面がテレビに表示される。この操作選択画面では、何れか１つの項目の表示色が他の項目と異なるように表示色が一定のタイミングで循環的に変化しており、ユーザがチャンネル選局の操作を行いたい場合には、「チャンネル」の表示色が他の項目の表示色と異なったタイミングに合わせて操作ボタンを押すと、「アップ」、「ダウン」及び「戻り」の項目を含むチャンネル選択画面が表示される。このチャンネル選択画面においても、何れか１つの項目の表示色が他の項目と異なるように表示色が一定のタイミングで循環的に変化しており、例えば「アップ」の表示色が他の項目の表示色と異なったタイミングに合わせてユーザが操作ボタンを押すと受信チャンネルがアップ側に変化する。希望のチャンネルが選局された時に操作ボタンにより「戻り」を選択すると、操作選択の画面に戻り、さらに「戻り」を選択すると、画面表示が消え操作を終了する（例えば、特許文献１参照）。
【０００４】
また、メインチューナーとサブチューナーの２つのチューナーにより別々のチャンネルを受信し、一方を親画面、他方を子画面として表示できるテレビ受像機において、通常はメインチューナーで受信したチャンネルの１画面表示とし、リモコンのスキャンボタンが押されると２画面表示にするとともに、親画面と並行してサブチューナーで受信したチャンネルの番組を所定の時間間隔で順次切り替えて子画面に表示することも知られている（例えば、特許文献２参照）。
【０００５】
【特許文献１】特開２００１−３３３２９１号公報
【特許文献２】特開平１０−２１０３８４号公報
【発明の開示】
【発明が解決しようとする課題】
【０００６】
ダイレクト選局キーを備えるリモコンを用いて選局を行う場合、所望のチャンネルに迅速に切り替えるためには、ユーザは放送チャンネルの番号とダイレクト選局キーとの対応関係を覚えておく必要がある。ＶＨＦ波帯のチャンネル１からチャンネル１２については、通常それらはダイレクト選局キー１からダイレクト選局キー１２に対応しているので問題はない。しかし、ＵＨＦ波帯のチャンネル１３〜チャンネル６２については一般にはＶＨＦ波帯の空きチャンネルのダイレクト選局キーで代用するので、チャンネル番号とダイレクト選局キーの番号とは一致せず、ユーザがそれらの対応関係を記憶しておくことは困難である。これはユーザが自分でＵＨＦ波帯またはＶＨＦ波帯の一部のチャンネルを自分で好みのダイレクト選択キーに割り当てる場合も同様である。この問題はケーブルテレビのように受信可能なチャンネル数が多くなると顕著になる。
【０００７】
また、子画面表示機能を有しないテレビ受像機では、受信可能なチャンネルのチャンネル番号や放送局名を調べるためには、ユーザはダイレクト選局キーまたはアップ／ダウン選局キーによる選局操作を行う必要があるが、ダイレクト選局キーまたはアップ／ダウン選局キーを操作して他のチャンネルに移行した後、元のチャンネルに戻る場合、元のチャンネルのチャンネル番号や放送局名を覚えていないと簡単に戻れないという問題があった。
【０００８】
本発明はこのような問題に鑑みなされたものであり、受信チャンネルを実際に切り替えなくても受信可能なチャンネルのチャンネル番号や放送局名を調べることができ、また、選局操作により他のチャンネルに移行した後、元の放送チャンネルのチャンネル番号や放送局名を覚えていなくても、元のチャンネルに戻ることが容易な選局装置を提供することを目的とする。
【課題を解決するための手段】
【０００９】
上記目的を達成すべく、アップ／ダウン選局キーと決定キーとを含むリモコン送信器と、テレビ受像機に備えられ、前記リモコン送信器からの信号に応答して前記テレビ受像機が受信する放送チャンネルを切り替える制御を行う制御装置とから構成される本発明の選局装置は、
前記制御装置が、
前記リモコン送信器から送信される信号を受信するリモコン受信部と、
放送チャンネルを識別するためのチャンネル情報を、受信可能な放送チャンネルのそれぞれについて予め記憶するメモリと、
前記リモコン受信部が受信した信号に基づいて前記アップ／ダウン選局キーが押下されたことを検出する度に、前記記憶手段から現在受信中の放送チャンネルと異なる放送チャンネルのチャンネル情報を読み出して前記テレビ受像機の画面に表示し、前記決定キーが押下されたことを検出したときに、現在受信中の放送チャンネルから前記画面に表示されているチャンネル情報で識別される放送チャンネルに切り替える制御を行う選局制御手段と
を含むことを特徴とする。
【発明の効果】
【００１０】
本発明の選局装置は、アップ／ダウン選局キーを押下したときに直ちに受信チャンネルを切り替えるのでなく、アップ／ダウン選局キーを押下する度に予め登録しておいたチャンネル番号及び放送局名を順次読み出して画面に表示し、希望チャンネルが表示されたときに決定キーを押すことにより始めて受信チャンネルを切り替える構成を有する。従って本発明の選局装置を用いれば、受信チャンネルを実際に切り替えなくても受信可能なチャンネルのチャンネル番号や放送局名を調べることができる。
【発明を実施するための最良の形態】
【００１１】
実施の形態１．
図１に、本実施形態に係る選局装置の一部であるリモコン送信器１の概観を示す。同図に示すように、リモコン送信器１は、電源オン／オフキー１１、アップ／ダウン選局キー１２、決定キー１３、アップ／ダウン音量キー１４、及びリモコン信号送信部１５を含む。
【００１２】
図２にリモコン送信器１からの信号を受信し、選局、音量調整、電源オン・オフの動作を行うテレビ受像機２の概観を示す。同図に示すように、テレビ受像機２は、画面表示部（表示画面）２１及びリモコン受信部２２を備える。ユーザがリモコン送信器１のアップ／ダウン選局キー１２を押下すると、例えば受信中の放送チャンネルのチャンネル番号と放送局名を示す文字情報を含むチャンネル情報２３が画面表示部２１の所定位置に表示される。
このチャンネル情報２３は、アップ／ダウン選局キー１２が押下される度に切り替わり、希望のチャンネルまたは放送局名が表示された時にユーザが決定キー１３を押下すると、現在視聴中のチャンネルから希望チャンネルに切り替わる。
ユーザがアップ／ダウン選局キー１２を押下した後、所定時間（例えば５秒、あるいは10秒）内に決定キー１３及びアップ／ダウン選局キー１２のいずれも押下しないときにはチャンネル情報が画面表示部から消え、現在視聴中のチャンネルが保たれる。
【００１３】
チャンネル情報を表示する位置は、図２（ａ）、図２（ｂ）、図２（ｃ）、図２（ｄ）、図２（ｅ）に示すように画面表示部２１の左上、右上、左下、右下あるいは上中央部等のいずれであってもよい。
【００１４】
図３のブロック図にテレビジョン受像機２の内部構成を示す。同図に示すように、このテレビジョン受像機２は、選局部２５、中間周波／検波部２６、音声増幅部２７、映像処理部２９、スピーカ２８、画面表示部２１、選局制御部３０、音声制御部３１、映像制御部３２、リモコン受信部２２、マイコン３３、メモリ、３４、電源部３５を含む。本実施形態の選局装置の一部である制御装置はリモコン受信部２２、マイコン３３、メモリ３４、選局制御部３０から構成される。選局制御手段はマイコン３３と選局制御部３０から構成される。
【００１５】
同図において、リモコン送信器１の電源オン／オフキー１１が押下されると、リモコン送信器１から電源オン信号が送信される。テレビ受像機２のリモコン受信部２２がこの電源オン信号を受信すると電源オン信号がマイコン３３に入力される。マイコン３３は電源オン制御信号を電源部３５に出力し、それにより電源部３５が起動する。
【００１６】
受信端子２４にはテレビ受像機２の受信可能なチャンネル受信帯に適合するアンテナあるいは有線放送のケーブルが接続され、受信端子２４から入力する各チャンネルの高周波放送信号は選局部２５に供給される。電源部３５が起動すると、マイコン３３はメモリ３４に保持されている前回電源がオフした時点の選局制御信号を読み出し、選局制御部３０に送る。従って選局部２５は前回電源をオフした時点のチャンネルを選局する。選局部２５で選局されたチャンネルの高周波放送信号は、中間周波／検波部２６で中間周波数に変換され、さら検波されて音声信号と輝度信号、色信号及び同期信号を含む映像信号とに分離される。音声信号は音声増幅部２７を経由してスピーカ２８へ供給され、映像信号は映像処理部２９を経由して画面表示部２１に供給される。
【００１７】
また、メモリ３４には、チャンネル番号及び放送局名を含むチャンネル情報が受信可能な各チャンネルについて登録されており、電源がオンになった時、前回電源をオフした時に受信していたチャンネルのチャンネル情報がマイコン３４により映像制御部３２を経由して映像処理部２９に送られる。それにより電源がオンになった時には、画面表示部２１には放映像とともにチャンネル番号及び放送局名を含むチャンネル情報２３が所定時間表示される。
【００１８】
画面表示部２１にチャンネル情報２３が表示されているときにユーザがリモコン送信器１のアップ／ダウン選局キー１２のアップキーまたはダウンキーを押下すると、画面表示部２１に表示されているチャンネル番号・放送局名をアップ方向またはダウン方向にシフトすることを指示する信号（以下、ＵＰ信号、またはＤＯＷＮ信号ともいう）がリモコン送信器１から送信される。マイコン３３は、リモコン受信部２２がＵＰ信号またはＤＯＷＮ信号を受信する度に、メモリ３４からチャンネル情報として現在表示中のチャンネルの一つ上または一つ下のチャンネルのチャンネル情報をメモリ３４から読み出し、映像制御部３２を経由し、映像処理部２９に送る。その結果、放送受信画像とともに表示されているチャンネル情報がアップ方向またはダウン方向にシフトする。
【００１９】
画面表示部２１にチャンネル情報が表示されている間にユーザがリモコン送信器１の決定キー１３を押下するとリモコン送信器１から選局信号が送信される。リモコン受信部２２がこの選局信号を受信するとマイコン３３は、画面表示部２１に現在表示されているチャンネル情報で識別されるチャンネルを選局することを選局制御部３０を経由して選局部２５に指示する。この結果、新たに選局されたチャンネルの放送映像が画面表示部２１に表示される。
また、これとともにチャンネル情報を画像表示部２１に表示することを指示するチャンネル情報表示信号がマイコン３３から映像制御部３２を経由して映像処理部２９に送られ、選局されたチャンネルのチャンネル番号と放送局名を含むチャンネル情報２３が画面表示部２１に所定時間表示される。この選局後（チャンネル切替後）に表示されるチャンネル情報２３は、選局前（チャンネル切替前）に表示されるチャンネル情報２３と表示色や表示位置が異なるものであってもよく、また、選局したチャンネルの放送モード（ステレオ放送モード等）を含むものであっても良い。
【００２０】
次に、図４のフローチャートを参照し、テレビ受像機２の電源投入から始まる選局動作を説明する。
【００２１】
ユーザがリモコン送信器１の電源オン／オフキー１１を押下し、テレビ受像機２の電源が投入されると（ステップＳ１１）、前回電源をオフにした時に受信していたチャンネルの放送映像とこのチャンネルのチャンネル番号及び放送局名を含むチャンネル情報２３とが画面表示部２１に表示される（ステップＳ１２）。
次にステップＳ１３においてアップ／ダウン選局キー１２の押下の有無を検出する。アップ／ダウン選局キー１２の押下を所定の時間待ち受け（ステップＳ１４）、この所定の時間が経過したときには、ユーザはチャンネルを切り替える意思はないと判断し、ステップＳ１５に進み、チャンネル情報の表示をオフにする。一方この期間内にアップ／ダウン選局キー１２の押下を検出したときにはステップＳ１６に進み、チャンネル情報を変更する。そしてステップＳ１７において、決定キー１３の押下の有無を検出する。決定キー１３の押下が検出されたときにはユーザは表示中のチャンネル情報で表されるチャンネルの視聴を希望していると判断し、このチャンネルに切り替える（ステップＳ２０）。このとき、切り替えたチャンネルのチャンネル情報をこのチャンネルの放送映像とともに所定期間表示し（ステップＳ２１）、その後チャンネル情報の表示をオフとし（ステップＳ２２）、選局動作を終了する。
【００２２】
ステップＳ１７で決定キー１３の押下が検出されない場合は、ステップＳ１８に進んでアップ／ダウンキー１２の押下の有無を検出する。アップ／ダウンキー１２の押下が検出されたときにはステップＳ１６に戻り、チャンネル情報の変更動作を繰り返す。ステップＳ１８でアップ／ダウンキー１２の押下が検出されない場合、チャンネル情報の変更後、所定時間が経過するまではステップＳ１９を経由してステップＳ１７に戻る。ステップＳ１９においてチャンネル情報の変更後、決定キー１３及びアップ／ダウンキー１２のいずれも押下されない状態が所定時間継続したことを検出したときにはユーザはチャンネルを切り替える意思はないと判断し、ステップＳ１５に進み、チャンネル情報の表示をオフにする。
【００２３】
尚、その後、ステップＳ１３に戻り、ステップＳ１３以降の各ステップを実行することにより、視聴中の任意の時間にユーザは選局を行うことができる。
【００２４】
図４のフローチャートのステップＳ１５またはステップＳ２２の後に、ユーザが決定キー１３を押下したときには、受信中のチャンネルのチャンネル情報を所定時間表示するようにしてもよい。この場合の動作を図５のフローチャートに示す。図５のフローチャートは図４のフローチャートにステップＳ２３〜Ｓ２５を追加したものであり、ステップＳ１１〜Ｓ２２の動作は図４の場合と同じである。
【００２５】
ステップＳ２３においてユーザによる決定キー１３の押下が検出されると、受信中のチャンネルのチャンネル情報を表示し（ステップＳ２４）、一定時間経過後にチャンネル情報の表示をオフとし（ステップＳ２５）、ステップＳ１３に戻る。上記ステップＳ２３において決定キー１３の押下が検出されなかったときは直接ステップＳ１３に戻る。
【００２６】
以上説明したように、本実施形態の選局装置は、アップ／ダウン選局キー１２が押下されたときに直ちに受信チャンネルを切り替えるのでなく、アップ／ダウン選局キー１２が押下される度に予め登録しておいたチャンネル番号及び放送局名を順次読み出して画面に表示し、希望チャンネルが表示されたときに決定キー１３を押すことにより初めて受信チャンネルを切り替える。従って、受信チャンネルを実際に切り替えなくても受信可能なチャンネルのチャンネル番号や放送局名を調べることができる。また、選局操作を行うため、アップ／ダウン選局キー１２を押下すると最初に現在受信中のチャンネルのチャンネル番号及び放送局名が表示されるので、他のチャンネルに移行した後、元のチャンネルに戻ることが容易である。
さらに、現在視聴中のチャンネルを確認するためアップ／ダウン選局キー１２を押下する場合、アップ／ダウン選局キー１２の押下後、所定時間が経過するとチャンネル情報が画面から消え、アップ／ダウン選局キーを押下する前の状態に戻るので無駄なキー操作を省くことができる。
また、画面表示部にチャンネル情報が表示されていないときに、ユーザがリモコン送信器の決定キー１３を押下すると現在視聴中のチャンネルのチャンネル情報が画面表示部に表示されるので、リモコン送信器のチャンネル表示キーを省略することも可能になる。
このように、リモコン送信器の操作性を損なうことなく、リモコン送信器のキー数を削減することができるので、キーのサイズやキーの機能を示す文字のサイズを大きくでき、そのため、特に老眼鏡を必要とするような世代のユーザにとって使い易い選局装置が提供される。また、操作キーの見易さを損なうことなくリモコン送信器の小型化ができるので、リモコン送信器のコスト削減も可能となる。
【００２７】
実施の形態２．
次に、図６及び図７を参照して本発明の実施の形態２に係る選局装置を説明する。
【００２８】
図６は、実施の形態２の選局装置の一部であるリモコン送信器１Ａの概観を示す図である。同図に示すように、このはリモコン送信器１Ａは、電源オン／オフキー１１、アップ／ダウン選局・設定キー１２Ａ、決定キー１３、アップ／ダウン音量キー１４、リモコン信号送信部１５、及びメニューキー１６を備える。図６において図１の要素と同じ要素には同じ符号を付し、説明は省略する。
【００２９】
図６において、メニューキー１６はチャンネル選局設定モードの切替（例えば自動選局、手動選局）、画質の切替（例えばコントラスト、明るさ、色の濃さ、色あい）、スピーカー２８の音質の切替（例えば高音強調、低音強調）等を行うため、所定の設定項目を含むリスト（以下、メニューリストという）を画面表示部２１に表示するためのキーである。
【００３０】
アップ／ダウン選局・設定キー１２Ａは、図１に示したリモコン送信器１のアップ／ダウン選局キー１２の機能、即ち、画面表示部２１にチャンネル情報を表示する機能に加え、ユーザーがメニューキー１６を押下することにより画面表示部２１に表示されるメニューリストから希望する設定項目を選択し、設定値を変更する機能を有するキーである。
【００３１】
次に図７のフローチャートを参照して実施の形態２の選局装置の動作を説明する。図７のステップＳ１１からＳ２５の動作は図５のステップＳ１１からＳ２５と同じであるので、ここでは主にステップＳ３０〜ステップＳ３６の動作について説明する。
本実施形態では、ステップＳ１１で電源オン／オフキー１１の押下を検出し、ステップＳ１２で放送映像とチャンネル情報を表示した後、ステップＳ３０においてメニューキー１６の押下の有無を検出する。メニューキー１６の押下が検出されない場合はステップＳ１３に進み、実施の形態１と同様の選局動作が行われる。一方、メニューキー１６の押下が検出された場合には、ステップＳ３１に進む。
【００３２】
ステップＳ３１では、図８（ａ）に示すような複数の項目を含むメニューリストが画面表示部２１に表示される。ユーザはアップ／ダウン選局・設定キー１２Ａを用いて複数の項目の中から一つの項目を選択する。本実施形態では、メニューリスト中の項目は、１つの項目だけ赤色で表示され、他の項目は緑色で表示されるようにする。そしてアップ／ダウン選局・設定キー１２Ａが押下される度に赤色で表示される項目の位置が上または下にシフトするようにする。例えば映像の「色の濃さ」を調整しようとする場合には、ユーザは「色の濃さ」の文字の色が赤色になるまでアップ／ダウン選局・設定キー１２Ａの押下を繰り返す（ステップＳ３２）。
【００３３】
調整しようとする項目が赤色で表示されたときにユーザが決定キー１３を押下すると（ステップＳ３３）、赤色で表示された項目のレベル値を変更するための画像（以下、レベル値設定画像ともいう）が画面表示部２１に表示される（ステップＳ３４）。尚、ここでは、「色の濃さ」の項目が選択され、図８（ｂ）に示すような「色の濃さ」のレベル値を表示する画面が表示されたと仮定する。また、色の濃さのレベル値は０〜５０の範囲内で調整可能であり、現在のレベル値は２５であるとする。
【００３４】
この状態で、ユーザがリモコン送信器１Ａのアップ／ダウン選局・設定キー１２Ａを押下すると、「色の濃さ」のレベル値が２５から変化し、それに連動して面表示部２１に表示されている放送映像の色の濃さが変化する（ステップＳ３５）。例えばレベル値が３０になり、色の濃さがユーザの満足するものとなったときに、ユーザがメニューキー１６を押下すると（ステップＳ３６）、ステップＳ１３に進む。以降、実施の形態１で説明した選局動作が行われる。
【００３５】
本実施の形態２によれば、実施の形態１の効果に加え、リモコン送信器を用いて画質や音質を変更できるという効果が得られる。
【図面の簡単な説明】
【００３６】
【図１】本発明の実施の形態１に係る選局装置を構成するリモコン送信器の概観を示す図である。
【図２】本発明の実施の形態１に係る選局装置を備えるテレビ受像機の画面に表示されるチャンネル情報を示す図である。
【図３】本発明の実施の形態１に係る選局装置を構成する制御装置を備えるテレビ受像機の構成を示すブロック図である。
【図４】本発明の実施の形態１に係る選局装置の動作を説明するフローチャートである。
【図５】本発明の実施の形態１に係る選局装置の動作の変形例を説明するフローチャートである。
【図６】本発明の実施の形態２に係る選局装置を構成するリモコン送信器の概観を示す図である。
【図７】本発明の実施の形態２に係る選局装置の動作を説明するフローチャートである。
【図８】本発明の実施の形態２に係る選局装置のリモコン送信器の操作により表示されるメニューリスト及び設定値調整画像を示す図である。
【符号の説明】
【００３７】
１，１Ａ  リモコン、  ２  テレビ受像機、  １１  電源オン／オフキー、  １２  アップ／ダウン選局キー、  １２Ａ  アップ／ダウン選局・設定キー、  １３  決定キー、  １４  アップ／ダウン音量キー、  １５  リモコン信号送信部、  １６  メニューキー、  ２１  画面表示部、  ２２  リモコン受信部、  ２３  チャンネル情報、  ２４  受信端子、  ２５  選局部、  ２６  中間周波／検波部、  ２７  音声増幅部、  ２８  スピーカ、  ２９  映像処理部、  ３０  選局制御部、  ３１  音声制御部、  ３２  映像制御部、  ３３  マイコン、  ３４  メモリ、  ３５  電源部。
【図１】
2005303863.tif 000003
【図２】
2005303863.tif 000004
【図３】
2005303863.tif 000005
【図４】
2005303863.tif 000006
【図５】
2005303863.tif 000007
【図６】
2005303863.tif 000008
【図７】
2005303863.tif 000009
【図８】
2005303863.tif 000010